(57)【要約】【課題】  コピー機自体の機器コストや、非複写時における通電待機電力、および実際にはカード状の身元確認者証を最低でもＢ５サイズの用紙を使用してコピーしなければならないなど、非常に無駄が多かった。【解決手段】  本医療事務管理用プログラムをＰＣ１０上で実行させることにより、同ＰＣ１０のＵＳＢソケットなどに接続されたＷＥＢカメラ２０を使用して保険証などの身元確認証の記載事項を画像として保存し、必要時に簡易に読み出して保険証のデータ項目の入力エリア１３ｇと並べて画像表示エリア１３ｈに表示することが可能となり、従来のように紙媒体に複写しておく必要がなくなり、各種の無駄を省いて効率的な医療事務管理を実現することが可能となる。【選択図】  図４
2005326986.tif 000002
【特許請求の範囲】
【請求項１】
コンピュータにて患者の診療に関する情報を管理するデータベースを実現させる医療事務用管理プログラムであって、
少なくとも身元確認証の所定項目を含む患者の診療に関する情報を管理するデータベース機能と、
接続されるデジタルカメラにより被写体画像を入力可能なおけるカメラ撮像画像入力機能と、
上記デジタルカメラにて上記身元確認証を撮像して撮像画像データを所定の記憶領域に保存および読出が可能な画像撮影制御機能と、
上記データベースへの身元確認証における所定項目の入力を行うにあたり、上記撮像画像データに基づいて上記身元確認証の撮像画像を表示する身元確認証項目入力制御機能とをコンピュータに実現させることを特徴とする医療事務用管理プログラム。
【請求項２】
上記身元確認証は、健康保険被保険者証であることを特徴とする請求項１に記載の医療事務用管理プログラム。
【請求項３】
上記画像撮影制御機能では、上記撮像画像データに検索用キーデータを対応させて保存および読出を行なうことを特徴とする請求項１または請求項２のいずれかに記載の医療事務用管理プログラム。
【請求項４】
上記カメラ撮像画像入力機能では、二台のデジタルカメラから上記身元確認証の両面の撮像画像データを取得し、
上記画像撮影制御機能では、上記身元確認証における両面の撮像画像データを取得し、対として保存および読出を行ない、
上記身元確認証項目入力制御機能では、上記身元確認証の両面の撮像画像を並べて表示することを特徴とする請求項１〜請求項３のいずれかに記載の医療事務用管理プログラム。
【請求項５】
上記画像撮影制御機能では、順次、上記身元確認証における複数の面の撮像画像データを取得し、一群として保存および読出を行ない、
上記身元確認証項目入力制御機能では、上記身元確認証の複数の撮像画像を並べて表示することを特徴とする請求項１〜請求３のいずれかに記載の医療事務用管理プログラム。
【請求項６】
上記画像撮影制御機能では、取得した撮像画像データの画像が斜めとなっているか否かを判断し、斜めとなっているときには所定角度だけ画像を回転させて補正することを特徴とする請求項１〜請求項５のいずれかに記載の医療事務用管理プログラム。
【請求項７】
上記画像撮影制御機能では、取得した撮像画像データの画像の明度が適正であるか否かを判断し、所定の範囲でないときには明度を補正することを特徴とする請求項１〜請求項６のいずれかに記載の医療事務用管理プログラム。
【請求項８】
上記画像撮影制御機能では、取得した撮像画像データの画像の境界のシャープさが適正であるか否かを判断し、所定の範囲でないときにはコントラストを修正して補正することを特徴とする請求項１〜請求項７のいずれかに記載の医療事務用管理プログラム。
【請求項９】
カメラ撮像画像入力機能では、上記デジタルカメラで逐次撮影される画像を入力し、
上記画像撮影制御機能では、逐次入力される撮像画像データを取得して表示し、表示中に所定の撮影操作を入力すると同操作入力時の撮像画像データを保存することを特徴とする請求項１〜請求項８のいずれかに記載の医療事務用管理プログラム。
【請求項１０】
上記画像撮影制御機能では、上記撮影操作の入力タイミングを基準として撮影時間と撮影条件を異にする複数の撮像画像データを保存することを特徴とする請求項９に記載の医療事務用管理プログラム。
【請求項１１】
上記身元確認証項目入力制御機能では、表示する上記身元確認証の撮像画像に入力すべき身元確認証項目を示すテンプレート画像を重ねて表示することを特徴とする請求項１〜請求項１０のいずれかに記載の医療事務用管理プログラム。
【請求項１２】
上記身元確認証項目入力制御機能では、上記身元確認証の撮像画像データを上記所定項目に加えて上記データベースに記録することを特徴とする請求項１〜請求項１１のいずれかに記載の医療事務用管理プログラム。
【請求項１３】
上記身元確認証項目入力制御機能では、撮影日時を異にする複数の撮像画像データを上記データベースに記録させて履歴管理を行なうことを特徴とする請求項１〜請求項１２のいずれかに記載の医療事務用管理プログラム。
【請求項１４】
コンピュータにて患者の診療に関する情報を管理するデータベースを実現させる医療事務用管理プログラムを記録した媒体であって、
少なくとも身元確認証の所定項目を含む患者の診療に関する情報を管理するデータベース機能と、
接続されるデジタルカメラにより被写体画像を入力可能なおけるカメラ撮像画像入力機能と、
上記デジタルカメラにて上記身元確認証を撮像して撮像画像データを所定の記憶領域に保存および読出が可能な画像撮影制御機能と、
上記データベースへの身元確認証における所定項目の入力を行うにあたり、上記撮像画像データに基づいて上記身元確認証の撮像画像を表示する身元確認証項目入力制御機能とをコンピュータに実現させることを特徴とする医療事務用管理プログラムを記録した媒体。
【請求項１５】
患者の診療に関する情報を管理する医療事務用管理装置であって、
少なくとも身元確認証の所定項目を含む患者の診療に関する情報を管理するデータベース管理手段と、
デジタルカメラにより被写体画像を入力するカメラ撮像画像入力手段と、
上記デジタルカメラにて撮像した上記身元確認証の撮像画像データを所定の記憶領域に保存および読出が可能な画像撮影制御手段と、
上記データベース管理手段で身元確認証における所定項目の入力を行うにあたり、上記撮影した上記身元確認証の撮像画像を表示する身元確認証項目入力手段とを具備することを特徴とする医療事務用管理装置。
【請求項１６】
診療に関する患者の身元を確認するための身元確認証を撮影するための身元確認証撮影装置であって、
カード状の上記身元確認証を載置する載置台と、
同載置台上の身元確認証における両面を正面側に写像させるミラー機構と、
同ミラー機構にて両面を写像された身元確認証を撮像するデジタルカメラとを具備することを特徴とする身元確認証撮影装置。
【発明の詳細な説明】
【技術分野】
【０００１】
本発明は、主にコンピュータにて患者の診療に関する情報を管理するデータベースを具備する医療事務用管理プログラム、医療事務用管理装置および身元確認証撮影装置に関するものである。
【背景技術】
【０００２】
広く医療行為などを行う診療所などでは、患者の診療に関する情報を管理するデータベースが利用されている。健康保険の対象となる患者については、健康保険被保険者証に関する所定項目を入力する必要がある。
初診時など、患者の健康保険被保険者証の提出を求め、所定項目をデータベースに記録する必要があるが、多忙であることが多いので、コピー機にて健康保険被保険者証の両面を紙媒体にコピーしておき、窓口業務の手が空いたときに複写物を参照しながら所定項目を記録している。
【発明の開示】
【発明が解決しようとする課題】
【０００３】
上述した従来の手法では、コピー機が必須となるが、診療所においてはこれ以外の現実的なコピー用途がない場合が多く、実質的に健康保険被保険者証をコピーするためだけにコピー機を備えなければならなかった。このため、コピー機自体の機器コストや、非複写時における通電待機電力、および実際にはカード状の身元確認者証を最低でもＢ５サイズの用紙を使用してコピーしなければならないなど、非常に無駄が多かった。
【０００４】
本発明は、上記課題に鑑みてなされたもので、低コストで運用することが可能な医療事務用管理プログラム、医療事務用管理装置および身元確認証撮影装置を提供することを目的とする。
【課題を解決するための手段】
【０００５】
上記目的を達成するため、請求項１にかかる発明は、コンピュータにて患者の診療に関する情報を管理するデータベースを実現させる医療事務用管理プログラムであって、少なくとも身元確認証の所定項目を含む患者の診療に関する情報を管理するデータベース機能と、接続されるデジタルカメラにより被写体画像を入力可能なおけるカメラ撮像画像入力機能と、上記デジタルカメラにて上記身元確認証を撮像して撮像画像データを所定の記憶領域に保存および読出が可能な画像撮影制御機能と、上記データベースへの身元確認証における所定項目の入力を行うにあたり、上記撮像画像データに基づいて上記身元確認証の撮像画像を表示する身元確認証項目入力制御機能とをコンピュータに実現させる構成としてある。
【０００６】
上記のように構成した請求項１にかかる発明においては、データベース機能により少なくとも身元確認証の所定項目を含む患者の診療に関する情報を管理することを前提とし、カメラ撮像画像入力機能にてデジタルカメラからの被写体画像を入力可能としつつ、画像撮影制御機能により上記デジタルカメラにて上記身元確認証を撮像させ、撮像画像データを所定の記憶領域に保存したり読み出すことが可能となっている。そして、身元確認証項目入力制御機能は上記撮像画像データに基づいて上記身元確認証の撮像画像を表示しつつ、上記データベースへの身元確認証における所定項目の入力を行なわせるようにしている。
【０００７】
すなわち、デジタルカメラにて身元確認証を撮像させ、撮像画像データを一旦保存し、上記データベースへの身元確認証における所定項目の入力を行なう際に同身元確認証の撮像画像を表示させるようにしている。
身元確認証は健康保険などに対応した証書などであり、その一例として請求項２にかかる発明は、上記身元確認証は、健康保険被保険者証であることを特徴としている。むろん、健康保険被保険者証以外あるいは健康保険被保険者証とともに提出する証書などでもよい。
【０００８】
身元確認証を撮影するタイミングとデータベースに入力するタイミングとが相違するため、撮影時にはデータベースの入力項目と連携させられないことがある。このため、請求項３にかかる発明は、上記画像撮影制御機能にて上記撮像画像データに検索用キーデータを対応させて保存および読出を行なう構成としてある。
【０００９】
上記のように構成した請求項３にかかる発明においては、上記撮像画像データに検索用キーデータを対応させており、同キーデータを付して保存したり、同キーデータで読み出す。例えば、生年月日をキーデータとして一旦保存しておくようにすれば、テンキーだけで入力でき、作業が簡易になる。
【００１０】
健康保険被保険者証は両面に必要事項が記入されていることが多く、このため、請求項４にかかる発明は、上記カメラ撮像画像入力機能では、二台のデジタルカメラから上記身元確認証の両面の撮像画像データを取得し、上記画像撮影制御機能では、上記身元確認証における両面の撮像画像データを取得し、対として保存および読出を行ない、上記身元確認証項目入力制御機能では、上記身元確認証の両面の撮像画像を並べて表示する構成としてある。
【００１１】
上記のように構成した請求項４にかかる発明においては、カメラ撮像画像入力機能により二台のデジタルカメラから上記身元確認証の両面の撮像画像データを取得し、画像撮影制御機能により上記身元確認証における両面の撮像画像データを取得して対として保存および読出を行なう。そして、身元確認証項目入力制御機能により上記身元確認証の両面の撮像画像を並べて表示し、上記データベースへの身元確認証における所定項目の入力を行なわせる。
【００１２】
すなわち、二台のデジタルカメラで同時に身元確認証の両面を撮像することで、身元確認証の両面を撮影するにあたって裏返して作業を繰り返す煩雑さがなくなる。
一方、請求項５にかかる発明は、上記画像撮影制御機能では、順次、上記身元確認証における複数の面の撮像画像データを取得し、一群として保存および読出を行ない、上記身元確認証項目入力制御機能では、上記身元確認証の複数の撮像画像を並べて表示する構成としてある。
【００１３】
請求項４にかかる発明では二台のデジタルカメラから身元確認証の両面を撮影しているが、上記のように構成した請求項５にかかる発明においては、上記画像撮影制御機能は、順次、上記身元確認証における複数の面の撮像画像データを取得し、一群として保存および読出を行なうようにしている。
【００１４】
ところで、撮影後、身元確認書を表示して所定項目の入力を行うため、表示の際に見やすくすると好適であり、その一例として、請求項６にかかる発明は、上記画像撮影制御機能では、取得した撮像画像データの画像が斜めとなっているか否かを判断し、斜めとなっているときには所定角度だけ画像を回転させて補正する構成としてある。
【００１５】
上記のように構成した請求項６にかかる発明においては、取得した撮像画像データの画像が斜めとなっているときには画像を回転させる修正を行って見やすくしている。
さらに、請求項７にかかる発明は、上記画像撮影制御機能では、取得した撮像画像データの画像の明度が適正であるか否かを判断し、所定の範囲でないときには明度を補正する構成としてある。
上記のように構成した請求項７にかかる発明においては、取得した撮像画像データの画像の明度が不適正であれば同明度を補正して見やすくしている。
さらに、請求項８にかかる発明は、上記画像撮影制御機能では、取得した撮像画像データの画像の境界のシャープさが適正であるか否かを判断し、所定の範囲でないときにはコントラストを修正して補正する構成としてある。
上記のように構成した請求項８にかかる発明においては、取得した撮像画像データの画像の境界のシャープさがぼけているようなときにコントラストを修正して補正し、見やすくしている。
撮影作業を容易にするため、請求項９にかかる発明は、カメラ撮像画像入力機能では、上記デジタルカメラで逐次撮影される画像を入力し、上記画像撮影制御機能では、逐次入力される撮像画像データを取得して表示し、表示中に所定の撮影操作を入力すると同操作入力時の撮像画像データを保存する構成としてある。
【００１６】
上記のように構成した請求項９にかかる発明においては、デジタルカメラで逐次撮影される画像を入力して表示しており、表示中に所定の撮影操作を入力すると同操作入力時の撮像画像データを保存する。
すなわち、撮影まではＴＶの映像のように動画として表示しており、所定位置へ身元確認証を置く際の画像の変化であったり、斜めとなっているときに角度を直す際の画像の変化をリアルタイムに反映させることで撮影の失敗を防いでいる。
さらに、請求項１０にかかる発明は、上記画像撮影制御機能では、上記撮影操作の入力タイミングを基準として撮影時間と撮影条件を異にする複数の撮像画像データをとして保存する構成としてある。
上記のように構成した請求項１０にかかる発明においては、動画のように表示しているときに撮影操作を行なうが、その入力タイミングを基準として撮影時間と撮影条件を異にする複数の撮像画像データを保存する。
例えば、撮影条件として順次露光条件を変えて数枚撮影しておくと、撮影時には良いと思っていた明るさであっても実際の入力時によく見えないときに撮影条件が異なる他の撮影画像を使って入力するということができる。
さらに、請求項１１にかかる発明は、上記身元確認証項目入力制御機能では、表示する上記身元確認証の撮像画像に入力すべき身元確認証項目を示すテンプレート画像を重ねて表示する構成としてある。
上記のように構成した請求項１１にかかる発明においては、表示する上記身元確認証の撮像画像に入力すべき身元確認証項目を示すテンプレート画像を重ねて表示するので、不慣れであっても撮影した身元確認証に表示されているどのデータをデータベースのどの項目として入力すればよいかが分かる。
【００１７】
さらに、請求項１２にかかる発明は、上記身元確認証項目入力制御機能では、上記身元確認証の撮像画像データを上記所定項目に加えて上記データベースに記録する構成としてある。
上記のように構成した請求項１２にかかる発明においては、身元確認証の撮像画像データを上記所定項目に加えて上記データベースに記録するようにしており、万一、後で項目の入力に誤りがあったことに気がついたようなときに修正をしやすくなる。
健康保険を利用して治療する場合、被保険者の資格に変化がないか注意する必要があり、毎月の提示を求めている。このため、請求項１３にかかる発明は、上記身元確認証項目入力制御機能では、撮影日時を異にする複数の撮像画像データを上記データベースに記録させて履歴管理を行なう構成としてある。
【００１８】
上記のように構成した請求項１３にかかる発明においては、データベースに撮影日時を異にする複数の撮像画像データを記録させて履歴管理を行なうようにしており、途中で変化があったときにでもこの変化の履歴を管理することが可能となる。
むろん、このようなプログラムは何らかの記録媒体に記録されて譲渡などされることが常であり、この意味ではかかる記録媒体の譲渡などが発明の利用につながるものであることはいうまでもない。このため、請求項１４にかかる発明は、コンピュータにて患者の診療に関する情報を管理するデータベースを実現させる医療事務用管理プログラムを記録した媒体であって、少なくとも身元確認証の所定項目を含む患者の診療に関する情報を管理するデータベース機能と、接続されるデジタルカメラにより被写体画像を入力可能なおけるカメラ撮像画像入力機能と、上記デジタルカメラにて上記身元確認証を撮像して撮像画像データを所定の記憶領域に保存および読出が可能な画像撮影制御機能と、上記データベースへの身元確認証における所定項目の入力を行うにあたり、上記撮像画像データに基づいて上記身元確認証の撮像画像を表示する身元確認証項目入力制御機能とをコンピュータに実現させる構成としてある。
【００１９】
この場合の記録媒体は、磁気記録媒体であってもよいし光磁気記録媒体であってもよいし、今後開発されるいかなる記録媒体においても全く同様に考えることができる。また、一次複製品、二次複製品などの複製段階については全く問う余地無く同等である。その他、供給方法として通信回線を利用して行なう場合でも本発明が利用されていることにはかわりない。
【００２０】
さらに、一部がソフトウェアであって、一部がハードウェアで実現されている場合においても発明の思想において全く異なるものではなく、一部を記録媒体上に記憶しておいて必要に応じて適宜読み込まれるような形態のものとしてあってもよい。むろん、このプログラム自体に発明の思想が反映されていることはいうまでもない。
【００２１】
一方、このようなプログラムは実体のあるコンピュータにおいて実現され、その意味で本発明をそのようなコンピュータを含んだ実体のある装置としても適用可能であることは容易に理解できる。このため、請求項１４にかかる発明は、患者の診療に関する情報を管理する医療事務用管理装置であって、少なくとも身元確認証の所定項目を含む患者の診療に関する情報を管理するデータベース管理手段と、デジタルカメラにより被写体画像を入力するカメラ撮像画像入力手段と、上記デジタルカメラにて撮像した上記身元確認証の撮像画像データを所定の記憶領域に保存および読出が可能な画像撮影制御手段と、上記データベース管理手段で身元確認証における所定項目の入力を行うにあたり、上記撮影した上記身元確認証の撮像画像を表示する身元確認証項目入力手段とを具備する構成としてある。
【００２２】
すなわち、コンピュータで制御される実体のある装置としても有効であることに相違はない。むろん、このような医療事務用管理装置は単独で使用される場合もあるし、ある機器に組み込まれた状態で他の装置とともに実施されることもあるなど、発明の思想としてはこれに限らず、各種の態様を含むものであって、適宜、変更可能である。
【００２３】
また、このような医療事務管理用プログラムはかかる制御に従って処理を進めていく上で、その根底にはその手順に発明が存在するということは当然であり、方法としても適用可能であることは容易に理解できる。
すなわち、必ずしも実体のある媒体などに限らず、その方法としても有効であることに相違はない。
なお、上述したように身元確認者証には両面に必要事項が記載されていることが多く、撮影時に裏返す作業は繁雑である一方、そのためだけに二台のデジタルカメラを接続するのも効率できてはない。このため、請求項１６にかかる発明は、診療に関する患者の身元を確認するための身元確認証を撮影するための身元確認証撮影装置であって、カード状の上記身元確認証を載置する載置台と、同載置台上の身元確認証における両面を正面側に写像させるミラー機構と、同ミラー機構にて両面を写像された身元確認証を撮像するデジタルカメラとを具備する構成としてある。
【００２４】
上記のように構成した請求項１５にかかる発明においては、載置台にカード状の上記身元確認証を載置すると、ミラー機構により同載置台上の身元確認証における両面を正面側に写像させることができ、デジタルカメラは同ミラー機構にて両面を写像された身元確認証を撮像する。
【００２５】
すなわち、一台のデジタルカメラで同時に身元確認者証の両面を撮像することができる。
【発明の効果】
【００２６】
以上説明したように本発明は、デジタルカメラにて身元確認証を撮像しておき、同身元確認証における所定項目の入力を行なう際に同身元確認証の撮像画像を表示させるようにしているので、別途コピー機を用意しておく必要はなく、かつ、複写する際の手間を低減させることが可能な医療事務用管理プログラムを提供することができる。
【００２７】
また、請求項２にかかる発明によれば、健康保険被保険者証の項目入力に便利となる。
さらに、請求項３にかかる発明によれば、検索用キーデータを対応させて保存や読み出すので、作業が簡易になる。
さらに、請求項４にかかる発明によれば、二台のデジタルカメラで両面を同時に撮影するので両面を撮影するのに裏返すような作業が不要となり、作業の効率を向上させることができる。
さらに、請求項５にかかる発明によれば、順次、上記身元確認証における複数の面の撮像画像データを取得し、一群として保存および読出を行なうので、一台のデジタルカメラで作業が可能となる。
さらに、請求項６にかかる発明によれば、取得した撮像画像データの画像が斜めとなっているときには画像を回転させる修正を行って見やすくできる。
さらに、請求項７にかかる発明によれば、取得した撮像画像データの画像の明度が不適正であれば同明度を補正して見やすくできる。
さらに、請求項８にかかる発明によれば、取得した撮像画像データの画像の境界のシャープさがぼけているようなときにコントラストを修正して補正し、見やすくできる。
さらに、請求項９にかかる発明によれば、撮影まではＴＶの映像のように動画として表示し、画像の変化をリアルタイムに反映させることで撮影の失敗を防ぐことができる。
さらに、請求項１０にかかる発明によれば、撮影時間と撮影条件を異にする複数の撮像画像データを撮像画像データとして保存するので、撮影時には良いと思っていた明るさであっても実際の入力時によく見えないときに撮影条件が異なる他の撮影画像を使って入力するということができる。
【００２８】
さらに、請求項１１にかかる発明によれば、不慣れであっても撮影した身元確認証に表示されているどのデータをデータベースのどの項目として入力すればよいかが分かる。
さらに、請求項１２にかかる発明によれば、身元確認証の撮像画像データをデータベースに記録するようにしており、万一、後で項目の入力に誤りがあったことに気がついたようなときに修正をしやすくなる。
さらに、請求項１３にかかる発明によれば、データベースに撮影日時を異にする複数の撮像画像データを記録させて履歴管理を行なうようにしており、途中で変化があったときにでもこの変化の履歴を管理することが可能となる。
さらに、請求項１４にかかる発明によれば、同様の効果を奏する医療事務用管理プログラムを記録した媒体を提供でき、請求項１５にかかる発明によれば、医療事務用管理装置を提供できる。
さらに、請求項１６にかかる発明によれば、一台のデジタルカメラで同時に身元確認者証の両面を撮像することが可能な身元確認証撮影装置を提供することができる。
【発明を実施するための最良の形態】
【００２９】
以下、図面にもとづいて本発明の実施形態を説明する。
図１は本発明の一実施形態にかかる医療事務用管理プログラムの全体を示すフローチャートであり、図２は当該医療事務用管理プログラムと実行するラップトップ型コンピュータの外観を示す斜視図であり、図３は同ラップトップ型コンピュータの内部構成を示す概略ブロック図である。
【００３０】
ラップトップ型コンピュータ（以下、ＰＣと呼ぶ）１０は、二つ折り可能な筐体を有しており、一方の筐体にキーボード１１とポインティングデバイス１２などを備え、他方の筐体にＴＦＴスクリーン（以下、単にスクリーンと呼ぶ）１３を有している。また、外部には図示しないＵＳＢソケットが開口しており、同ＵＳＢソケットにはＷＥＢカメラ２０を接続している。
【００３１】
ＷＥＢカメラ２０は、６４０×４８０画素の画素数を有する電子カメラであり、デジタルカメラの一種であってＵＳＢ規格にてＰＣ１０と接続して動画および静止画の撮像画像データを出力することが可能である。本実施形態においては、ＰＣ１０に対して少なくとも静止画の撮像画像データを出力することができればよく、画素数についても特に限定されるものではない。また、撮像素子は、ＣＣＤでもよいし、ＣＭＯＳでもよい。焦点は固定式でも調整式でもよく、オートフォーカス機能を備えたものでも良い。
【００３２】
ＰＣ１０の内部は、一般的な構成であり、ＣＰＵ１４ａ、ＲＯＭ１４ｂ、ＲＡＭ１４ｃ、ハードディスクドライブ１４ｄ、ＣＤ−ＲＯＭドライブ１４ｅ、ディスプレイインターフェイス１４ｆ、ＵＳＢインターフェイス１４ｇ、ヒューマンインターフェイス１４ｈなどを備えている。上述したキーボード１１とポインティングデバイス１２はヒューマンインターフェイス１４ｈを介して接続され、スクリーン１３はディスプレイインターフェイス１４ｆを介して接続されている。なお、図示していない他のインターフェイス（シリアル、パラレル）なども備えている。
【００３３】
本実施形態においては、ＷＥＢカメラ２０をＵＳＢインターフェイス１３ｇを介して接続しているが、ＩＥＥＥ１３９４インターフェイスを介して接続するなど、接続のためのインターフェイスは特に限定されるものではない。しかし、安価、かつ簡易な接続を提供する上では、ＵＳＢ規格を利用すると好ましい。
【００３４】
医療事務用管理プログラムは主に診療報酬の事務管理を司るものであるが、本実施形態においては、主に健康保険被保険者証（以下、単に保険証と呼ぶ）に関する処理についてのみ説明する。医療事務用管理プログラムの概略の処理は、ステップＳ１００にて処理で使用する変数などの初期化などを行った後、ステップＳ１０２にて処理内容を選択するメニュー表示を行ない、ステップＳ１０４にてメニュー表示に対する選択が保険証に関するものであるか否かを判断し、保険証に関する処理であればステップＳ１０６にて後述する保険証処理を実行し、そうでなければステップＳ１０８にて他のメニュー処理を実行する。
【００３５】
図４は保険証処理のフローチャートである。
ステップＳ２００は、事務処理しようとしている患者が既に登録されている患者か未登録の患者であるかの判断であり、未登録患者の場合はステップＳ２０２にて保険証画像取得の処理を実施する。ＷＥＢカメラ２０はＰＣ１０と接続されていれば必要に応じてその時点での映像情報を逐次ＰＣ１０に画像データとして送信可能であり、本処理においては、逐次受信される画像データをスクリーン１３上に表示する。図５はスクリーン１３上での表示態様を示しており、枠１３ａ内に表示部１３ｂが用意され、この表示部１３ｂ内に６４０×４８０ドットの画像が逐次表示される。表示部１３ｂでは中央と四隅にマーカーを表示しており、被写体である保険証の角が四隅のマーカーと重なるようにして撮影すると最適であることを示している。ただし、後述するように斜め補正を行うので、多少のずれは問題ない。
【００３６】
枠１３ａ内における表示部１３ｂの下方にはシャッターボタン（撮影／決定の機能を持つ）１３ｃを用意してあり、ポインティングデバイスで当該シャッターボタン１３ｃをクリックすると、クリックした時点で表示部１３ｂないに表示していた画像が撮像画像データとして取得される。
【００３７】
本実施形態においては、ソフトウェアによるシャッターボタンを構成し、手ぶれなどがないようにしている。しかし、プログラムを簡易にするためにＷＥＢカメラ２０の側に設けたハードウェアのシャッターボタンを操作し、同操作時の画像を撮像画像データとして取得するようにしても良い。
【００３８】
また、図６はさらなる変形例を示している。この例では、上述したように逐次出力されている撮像画像データを複数取得するものであり、シャッターボタン１３ｃをクリックしたタイミングをｔ０とすると、所定時間を隔てたタイミングｔ０＋１，ｔ０＋２においてそれぞれ撮像画像データを取得する。そして、撮像した複数の画像は枠部１３ａ内のシャッターボタン１３ｃの横に配置したそれぞれ逆向きの矢印ボタン１３ｄ１，１３ｄ２にて選択できるようにしており、シャッターボタン１３ｃにて決定する。
【００３９】
このとき、撮影時間だけを異にする複数の画像を撮影しても良いが、いわゆる絞りを変化させた明るさの異なる複数の画像を撮影しても良い。図６にはシャッター操作をした時点でのｆ値（ｆ０）を基準とし、その後に二つの画像を撮影しつつそれらについてはｆ値をｆ０×０．７と、ｆ０×１．４として明暗のそれぞれに振っている。また、撮影した画像を表示する際は、撮影時間よりもｆ値を基準として並べ替えて表示する。これにより、矢印ボタン１３ｄ１，１３ｄ２をクリックしたときに順番に明るく、あるいは暗くすることができ、ちょうど良い画像を選択しやすくなる。
【００４０】
保険証画像は、必要な枚数だけ撮影することができ、所定枚数だけ画像を撮影したら終了ボタン１３ｅをクリックする。健康保険被保険者証は両面の記載事項が必要となることが多いので、面面を裏面を撮影してから終了する。また、健康保険被保険者証以外の受給者証もあり、その場合は、さらに別途画像を撮影しておくことができる。
【００４１】
ところで、健康保険被保険者証のように両面を撮影する必要がある場合に、このように順次撮影していくようにしても良いが、両面を一度に撮影することも可能である。まず、図７と図８は、二つのＷＥＢカメラ２０，２０を対面させ、その中間に保険証を立てて保持する載置台２１を備えた身元確認証撮影装置を示している。ＰＣ１０の側では図５に示す枠部１３ａ内に二つの表示部１３ｂを設けて両面を表示できるようにする。この結果、一回の操作で保険証の両面を撮影でき、裏返す手間を省ける。このとき、ＷＥＢカメラ２０，２０の近隣に照明用ライトを設けておき、保険証の両面を照らすようにしても良い。なお、図面上ではＷＥＢカメラ２０や載置台２１を保持する本体を表示していないが、かかる本体も付属する。
【００４２】
また、図９と図１０は、一台のＷＥＢカメラ２０と、二枚の鏡２３ａ，２３ｂからなるミラー機構を備えた身元確認証撮影装置を示している。ミラー機構を使用することで載置台２２に保持した保険証の両面の映像を同時にＷＥＢカメラ２０の正面側に写像させることができる。この結果、一回の操作で保険証の両面を撮影でき、裏返す手間を省ける。特に、一台のＷＥＢカメラ２０で撮影できるので、コストも低く抑えられる。なお、面面と裏面を同時に撮影するので、一般にはそれぞれ逆向きに写ってしまう。このため、一旦、撮像画像データをそれぞれの面に合わせて分割し、分割した一方の画像については１８０度回転させる処理を行って二つの撮像画像データを生成する。なお、横向きに撮像した場合は、それぞれを逆向きに９０度回転させることで両方の向きを修正すればよい。すなわち、いずれにおいても、両者の画像の回転具合に基づいて適切な方向に回転させることで修正すればよい。
【００４３】
以上のようにして保険証画像を取得したら、ステップＳ２０４では視認性を向上させるために画像修正を行う。画像修正は、斜め補正と、明度補正と、コントラスト補正を行う。斜め補正は図１１に示すように被保険者証の画像の周囲にできる辺の部位（エッジ部分）を探し、当該辺の部位が画像の枠と水平または垂直となるように画像を回転させる。すなわち、辺部位探索と、辺部位と枠部との角度を求める角度演算と、求めた角度を修正するように画像を回転させる回転操作とで実現する。なお、辺部位を求めやすくするために保険証を黒字の下地の上に載置したり、特殊な色（例えば保険証に採用されてないであろう色）の下地を用意しておき、この色のと別の色（保険証に相当する）との境界を探して辺部位を確実に求められるようにしても良い。
【００４４】
明度補正は、画像データにおける各画素の明度（階調値）を入力値として、所定の演算によって出力値を求めて変換する。図１２はこの変換特性をγカーブで表している。上に凸の場合のγカーブを変換特性とすれば、入力値が全体として大きな値に変換された出力値となるので、画像の明度が大きくなり、明るくなる。また、下に凸の場合のγカーブを変換特性とすれば、入力値が全体として小さな値に変換された出力値となるので、画像の明度が小さくなり、暗くなる。むろん、変換特性のカーブは適宜変更可能である。
【００４５】
コントラスト補正は全体として明度の分散具合が狭めのものを広げ、あるいは広めのものを狭める処理を実現するものであり、図１３に示すように中心の階調値を維持しつつ入出力関係を比例させるも入力階調値に対する出力階調値の比を変化させる。具体的には、入出力特性比を１．０の前後で変化させている。同特性比が１．０を超えるとコントラストを広げ、同特性比を１．０よりも小さくするとコントラストが狭まる。
【００４６】
明度やコントラストの修正は、図５に示すような枠部１３ａ内の表示部１３ｂに画像を表示しつつその下方の矢印ボタン１３ｄ１，１３ｄ２を操作させて明度とコントラストを順次変更させるようにする。また、縦横３×３の升目を用意しておき、中心の画像を無修正として表示しつつ、Ｘ方向については明度を上下に変化させ、Ｙ方向についてはコントラストを上下に変化させた、合計８個の修正済み画像を表示し、適当なものを選択させるということも可能である。この場合、枠部１３ａの余白に小さめのサムネール画面で９つの画像を表示していずれかを選択状態とし、選択状態となった画像を中央に表示するようにしてもよい。
【００４７】
画像修正が行われたら、ステップＳ２０６にて撮像画像データを保存する。図４は本医療事務用管理プログラムで使用するデータベースファイルを示しており、メインデータベースとなるメインデータベースＭＤＢと、そのインデックス情報を備えたメインインデックステーブルＭＩＴに加え、上記撮像画像データを一括して保存する画像データベースＩＤＢと、そのインデックス情報を備えた画像用インデックステーブルＩＩＴとから構成されている。取得された撮像画像データは順次画像データベースＩＤＢに含められていくとともに、各撮像画像データごとに画像用インデックステーブルＩＩＴが逐次更新されていく。撮像画像データを保存する時点では速やかに保険証に記載された必要項目を入力することは実際の診療現場において困難であることが多い。このため、一旦は撮像画像データを保存しておき（ステップＳ２０６）、手が空いたときに同撮像画像データを読み出して表示し（ステップＳ２１２）、必要に応じて入力を補助するためのテンプレートを重ね合わせ（ステップＳ２１４）、データベースへの入力項目を記入する（ステップＳ２１６）ことが現実的である。
【００４８】
このように時間をおいて特定の撮像画像データを表示させる関係上、一旦保存するときに探しやすいキーワードを付しておくことが有効といえる。このため、ステップＳ２０６にて画像データを保存するときに、図１５に示すように、枠部１３ａ内における表示部１３ｂの下方にキーワード入力欄１３ｆを設けてあり、このキーワード入力欄１３ｆにあらかじめ決めておいたルールに基づいてキーワードを付して保存する。キーワードは入力するのが煩雑でなく、できるだけ固有のものがよい。このため、生年月日をＹＹＹＹＭＭＤＤのフォーマットで数字入力させるとよい。むろん、このフォーマットに限るものではなく、プログラム上ではこのキーワードは文字として扱うのでどのようなものであっても構わない。なお、キーワードとして他の撮像画像データを重複するのを完全に避けるためには保存時の日時を自動的に付しておき、後で撮像画像データを読み出すときに通常は日時を無視するものの同じキーワードがある場合には日時で選択できるようにしておいても良い。
【００４９】
以上のようにして撮像画像データを保存したら、ステップＳ２０８にてすぐにデータベースへのデータ項目の入力処理が可能であるか否かを問い合わせ、入力はしないという場合に本保険証処理を一旦終了する。一方、比較的、時間に余裕があるようなときなどはデータ項目を入力する処理が選択され、ステップＳ２１０にて図１６に示す入力画面を表示する。この入力画面では、下方の一部を除いて大部分がデータ項目の入力エリア１３ｇとして割り当てられており、その下方に画像表示エリア１３ｈが割り当てられている。画像表示エリア１３ｈには三枚の画像を表示する表示枠１３ｈ１〜１３ｈ３を設けてある。通常は保険証の表裏面の画像を表示するが、さらに他の受給者証の画像がある場合に備えて三枚分の領域を設けてある。むろん、さらに多くの画像がある場合には画像の最下辺にスライダを表示し、同スライダを左右に移動させて擬似的に画像表示エリアを左右に移動させ、表示しきれなかった残りの画像を表示すればよい。
【００５０】
画像はステップＳ２１２にて表示するが、このとき、過去に撮像しておいた画像を読み出して表示するときには、一旦、図１５に示すキーワードの入力画面を表示し、キーワード入力欄１３ｆにキーワードを入力せしめて撮像画像データを特定し、同特定された撮像画像データに対応する画像を画像表示エリア１３ｈに表示する。
【００５１】
入力時に保険証における記載欄とデータベースにおける入力項目とが一致していなければならないが、利用者が不慣れであると対応を誤ったり、ベテランであっても勘違いをして対応を誤ってしまうことがある。このため、必要に応じてステップＳ２１４にてテンプレートを画像に重ね合わせて表示するようにしても良い。テンプレートを表示するか否かは例えば初期設定で読み込まれるオプション設定などで設定しておけばよい。なお、このようなオプション設定はメニューの中から選択できるようにしておく。テンプレートは保険証に重ね合わされたときに例えば名前が記載されている部位とデータベースの入力欄とを線で結んだり、それぞれの対を同じ形や色のマークで対応させたりすると分かりやすい。また、入力項目の欄が移動するのに対応して動的にテンプレートを変更し、現在、入力用のカーソルが名前の欄にあるときには、保険証の名前の欄を赤線で囲むようなテンプレートを重ね合わせるようにしてもよい。このように、保険証での記載部位と、データベースにおける入力欄とを対応させて表示することにより、入力間違いを低減させることが可能となる。
なお、本実施形態では、画像を見てユーザが所定項目を手入力しているが、撮像画像データの状況によってはＯＣＲ処理で入力すべき所定項目をデータ化して入力するようにしても良い。すなわち、撮像画像データが縦方向と横方向の複数の画素からなるものであり、ビットマップデータのフォーマットであるとき、画素のデータの中から文字に対応する画像の有無を検出し、文字の画像があれば同文字に対応するキャラクタコードを生成し、文字列化する。さらに、文字列の並びから各データが所定項目であるか判断し、所定項目であればその文字列データを抽出してデータベースに対してデータを入力する。
むろん、このようにＯＣＲ処理した場合も、ＯＣＲ処理の誤判断の有無を確認する上で、上述した手入力による画面中にあらかじめ抽出した文字列を表示しつつ、撮像画像も同時に表示するようにすればよい。
【００５２】
以上のようにして未登録患者が来院した場合の保険証の画像の撮影からデータ項目の入力を行うことが可能となる。
一方、ステップＳ２００にて既に登録された患者であると判断された場合、保険証を持参している場合にはステップＳ２２０にてあらかじめ撮影しておいた画像を読み出すため、図１５に示すキーワードの入力画面を表示し、キーワード入力欄１３ｆにキーワードを入力せしめ、撮像画像データを特定させる。そして、ステップＳ２２２にて同特定された撮像画像データに対応する画像を画像表示エリア１３ｈに表示する。
【００５３】
ユーザーは画面に表示された保険証の画像を持参された保険証と対比し、内容に変更があるか否かを判断する。内容に変更がある場合には上述したステップＳ２０２以下を繰り返す。一方、内容に変更がないとしても、既に入力済みであるとは限らず、ステップＳ２２６にて入力済みであるかを問合せ、未入力であれば上述したステップＳ２１０以下を実行して入力させる。むろん、この時点で時間がない場合は入力延期とすることもできる。
【００５４】
保険証は月始めに被保険者資格の有無を確認する必要があり、今回の提示がこのような月次の提示なのであれば、ステップＳ２２８の問い合わせを経てステップＳ２３０にてステップＳ２０２と同様の保険証画像取得の処理を実行し、ステップＳ２３２にてステップＳ２０６と同様の画像データ保存の処理を実行する。ただし、このときは既に保険証の画像は保存されているので、追加の保存となる。従って、このときはキーワードが重複することになり、上述したように日時を自動付加するといった処理が有効となる。むろん、日時を付加することなく何枚目の画像であるかを表す通し番号を付加するだけでも構わない。
【００５５】
以上のように、本医療事務管理用プログラムをＰＣ１０上で実行させることにより、同ＰＣ１０のＵＳＢソケットなどに接続されたＷＥＢカメラ２０を使用して保険証などの身元確認証の記載事項を画像として保存し、必要時に簡易に読み出して保険証のデータ項目の入力エリア１３ｇと並べて画像表示エリア１３ｈに表示することが可能となり、従来のように紙媒体に複写しておく必要がなくなり、各種の無駄を省いて効率的な医療事務管理を実現することが可能となる。
【図面の簡単な説明】
【００５６】
【図１】本発明の一実施形態にかかる医療事務用管理プログラムの概略フローチャートである。
【図２】医療事務用管理プログラムを実行するラップトップ型コンピュータの外観斜視図である。
【図３】コンピュータの内部構成を示す概略ブロック図である。
【図４】医療事務用管理プログラムにおける保険証処理のフローチャートである。
【図５】スクリーン上での撮影画像の表示態様を示す図である。
【図６】複数の撮像画像データを取得する概念を示す図である。
【図７】二台のＷＥＢカメラを利用して身元確認証の表裏面を同時に撮影する撮影装置の概略斜視図である。
【図８】同撮影装置の概略平面図である。
【図９】一台のＷＥＢカメラを利用して身元確認証の表裏面を同時に撮影する撮影装置の概略斜視図である。
【図１０】同撮影装置の概略平面図である。
【図１１】撮像画像データの画像の斜め補正の手法を示す図である。
【図１２】撮像画像データの画像の明度補正で使用する変換特性を示す図である。
【図１３】撮像画像データの画像のコントラスト補正で使用する変換特性を示す図である。
【図１４】本医療事務用管理プログラムで利用するデータベースを示す図である。
【図１５】キーワード入力画面を示す図である。
【図１６】身元確認証項目の入力画面を示す図である。
【符号の説明】
【００５７】
１０…ラップトップ型コンピュータ
１１…キーボード
１２…ポインティングデバイス
１３…ＴＦＴスクリーン
１４ａ…ＣＰＵ
１４ｂ…ＲＯＭ
１４ｃ…ＲＡＭ
１４ｄ…ハードディスクドライブ
１４ｅ…ＣＤ−ＲＯＭドライブ
１４ｆ…ディスプレイインターフェイス
１４ｇ…ＵＳＢインターフェイス
１４ｈ…ヒューマンインターフェイス
２０…ＷＥＢカメラ
２１…載置台
２２…載置台
２３ａ，２３ｂ…鏡
【図１】
2005326986.tif 000003
【図２】
2005326986.tif 000004
【図３】
2005326986.tif 000005
【図４】
2005326986.tif 000006
【図５】
2005326986.tif 000007
【図６】
2005326986.tif 000008
【図７】
2005326986.tif 000009
【図８】
2005326986.tif 000010
【図９】
2005326986.tif 000011
【図１０】
2005326986.tif 000012
【図１１】
2005326986.tif 000013
【図１２】
2005326986.tif 000014
【図１３】
2005326986.tif 000015
【図１４】
2005326986.tif 000016
【図１５】
2005326986.tif 000017
【図１６】
2005326986.tif 000018